(57)【要約】【課題】軸方向に整列した状態でガスタービン（２０）、発電機（１２）及び蒸気タービン（１４）を備えた単一シャフト複合サイクル機械の該発電機からロータを取外す方法を提供する。【解決手段】本方法は、その基盤に対して発電機（１２）のステータ支持脚部（１６）を固定したファスナの係合を外すステップと、発電機（１２）を垂直方向に持ち上げるステップと、ステータ支持脚部（１６）の下方において、発電機（１２）の各側方に仮設支持体（２２）を配置するステップと、仮設支持コラム（２２）に対してステータ支持脚部（１６）を固定するステップと、発電機に軸方向に隣接させて蒸気タービン（１４）上に保守整備要員アクセスプラットホーム（３８）を据付けるステップと、発電機（１２）からアクセスプラットホーム（３８）にロータ（４０）を取外すステップとを含む。【選択図】      図３
2009250234.tif 000002
【特許請求の範囲】
【請求項１】
軸方向に整列した状態でガスタービン（２０）、発電機（１２）及び蒸気タービン（１４）を備えた単一シャフト複合サイクル機械の該発電機からロータを取外す方法であって、
その基盤に対して前記発電機（１２）のステータ支持脚部（１６）を固定したファスナの係合を外すステップと、
前記基盤の上方に前記発電機（１２）を垂直方向に持ち上げるステップと、
前記ステータ支持脚部（１６）の下方において、前記発電機（１２）の各側方に仮設支持体（２２）を配置するステップと、
前記仮設支持コラム（２２）に対して前記ステータ支持脚部（１６）を固定するステップと、
前記発電機に軸方向に隣接させて前記蒸気タービン（１４）上に保守整備要員アクセスプラットホーム（３８）を据付けるステップと、
前記発電機（１２）から前記アクセスプラットホーム（３８）に前記ロータ（４０）を取外すステップと、を含む、
方法。
【請求項２】
前記持ち上げるステップが、前記発電機（１２）を垂直方向に持ち上げるための仮設油圧ガントリリフトシステム（２４）を設定するステップを含む、請求項１記載の方法。
【請求項３】
前記発電機（１２）が、前記基盤（１８）の上方に１２フィートほど持ち上げられる、請求項１記載の方法。
【請求項４】
前記仮設支持体に対して前記ステータ支持脚部を固定する前に、前記発電機が、前記支持体上に降ろされる、請求項１記載の方法。
【発明の詳細な説明】
【技術分野】
【０００１】
本発明は、単一シャフト複合サイクル機械における中心発電機からのロータ取外しのための簡略式発電機取外し作業方法に関する。
【背景技術】
【０００２】
時折の保守整備及び検査における単一シャフト複合サイクル機械上の発電機の取外しは伝統的に、その台座上の位置からの発電機全体の取外し、プラント内での別の位置への平行移動及び最後にロータの取外しを必要としていた。これは、装置及びスペースを必要とし、また保守整備位置にある間における様々な作業手順及び基準の遵守を必要とする。
【０００３】
従って、これ迄は、発電機の保守整備は、吊り（持ち）上げるだけでなく側方に平行移動させることができ、また該発電機全体を床面又は支持構造体のいずれかに降ろすことができるリフト装置を必要としていた。この問題は、発電機の全荷重を持ち運びかつ該発電機を床面に移動させることができる天井クレーンを設けることによって対処することができるが、そのような持ち上げ及び平行移動能力を有するクレーンの付加的費用が掛かる。
【先行技術文献】
【特許文献】
【０００４】
【特許文献１】米国特許第５７０１７３１号明細書
【発明の概要】
【発明が解決しようとする課題】
【０００５】
本発明は、簡略式発電機取外し作業方法を提供し、その場合に、発電機が、台座から垂直方向に持ち上げられ、仮設支持体が、発電機と台座との間に配置されて該発電機をその持ち上げた位置に支持し、またアクセスプラットホームが、蒸気タービン上にかつ持ち上げられた発電機に隣接して据付けられて、ステータから保守整備アクセスプラットホーム上にフィールドを取外すことができる。
【課題を解決するための手段】
【０００６】
従って、本発明は、単一シャフト複合サイクル機械の発電機からロータを取外す方法として具現化することができ、本方法は、その基盤に対して発電機のステータ支持脚部を固定したファスナの係合を外すステップと、基盤の上方に発電機を垂直方向に持ち上げるステップと、ステータ支持脚部の下方において、発電機の各側方に仮設支持体を配置するステップと、仮設支持体に対してステータ支持脚部を固定するステップと、発電機に長手方向に隣接させて蒸気タービン上に保守整備要員アクセスプラットホームを据付けるステップと、発電機からアクセスプラットホームにロータを取外すステップとを含む。
【図面の簡単な説明】
【０００７】
【図１】台座基盤上に配置されかつ隣接するガスタービン及び蒸気タービンから切離された発電機の概略斜視図。
【図２】本発明の方法により持ち上げられた発電機の概略端面図。
【図３】本発明の例示的な実施形態における発電機から取外されたロータの概略斜視図。
【図４】本発明の例示的な実施形態により係合を外しかつ持ち上げた発電機及び取外したロータを備えた状態の単一シャフト複合サイクル機械の概略側面図。
【発明を実施するための形態】
【０００８】
上述のように、その時折の保守整備及び検査における単一シャフト複合サイクル機械の発電機の従来通りの取外しは、その台座上の位置からの発電機全体の取外し、プラント内での別の位置への移動及び最後にロータの取外しを必要としていた。本発明の例示的な実施形態によると、発電機を持ち上げかつ平行移動させる装置を設けるのではなく、発電機は、例えば油圧ガントリリフトシステムを使用して、その基盤から垂直方向に持ち上げられる。発電機は次に、その持ち上げられた配置に仮に支持されて、発電機を別の位置に移動させずに、ロータを取外すことができる。これは、保守整備活動のための第２の位置を必要としないので、ロータを取外すための時間及び費用を減少させる。本発明の例示的な実施形態では、保守整備の間に発電機を支持するために、台座と発電機脚部との間に仮設支持体を配置した状態で、既存の台座構造体を使用して、発電機を支持する。次に、蒸気タービン上に仮設プラットホームを配置して、ロータ取外し活動のために持ち上げられた発電機へのアクセスを可能にする。次にフィールドは、既存の建物天井クレーンを使用して仮設プラットホームに取外すことができる。
【０００９】
次に、図面の図を参照して、例示的な本発明によるフィールド取外しプロセスをより詳細に説明する。
【００１０】
最初のステップとして、蒸気タービンをクールダウンさせるように動力伝達系が作動状態になっている状態で、発電機１２構造体及び蒸気タービン１４構造体を露出させるために、負荷コンパートメント及び関連する音響エンクロージャを含む発電機音響壁及びエンクロージャが取外される。次にユニットは、ガスをパージされ、全ての発電機の電気的及び機械的相互連結が切離される。コレクタコンパートメント（図示せず）が、取外される。次に、蒸気タービン端部継手ガードが取外されかつ該継手が切離され、またガスタービン端部継手ガードが取外されかつ該継手が切離される。次に、基盤ハードウェアがステータ脚部から取外されて、発電機が、台座に対して移動させることができる。従って、図１に示すように、発電機１２は、ガスタービン２０（図４）、蒸気タービン１４（図１及び図４）並びに台座又は基盤プラットホーム１８（図４）を含む全ての周囲の構造体から切離されて、発電機は、垂直方向に移動させることができる。
【００１１】
持ち上げた後に発電機を支持するのに備えて、発電機支持体位置付近に、４つの仮設支持コラムを配置することができる。次に、仮設油圧ガントリリフトシステム２４を設定する。図示するように、この図示した実施例では発電機の各側面に２つである４つの位置において、発電機の周りに複数の油圧リフトを配置している。この図示した実施例における油圧リフト２６は、それらの間で発電機上に延びるリフトビーム２８を有する。例えば、適当なケーブル配置が、発電機１２の各側面において、該発電機１２の上方に配置されたリフトビーム２８からループの形態で下向きに延びて、該発電機１２から側方に突出したそれぞれのリフトピン３２に係合する。
【００１２】
油圧ガントリリフトシステムが設定されると、発電機１２は、図２及び図３に示すように、この実施例では約１２フィートほど基盤の上方に持ち上げられ、仮設支持コラム２２は各々、発電機の各側面でそれぞれのステータ支持脚部１６の下方の位置に移動される。仮設安全フェンス（図示せず）は、発電機台座孔３４を囲む関係で配置されるのが望ましく、またガスタービン２０に隣接して保守整備要員アクセスプラットホーム（図示せず）が据付けられる。発電機はまた、仮設支持コラム２２上に降ろされかつ所定の位置にボルト止めされる。この図示した例示的な実施形態では、発電機の各長手方向端部における仮設支持コラム２２は、図３及び図４で示すように付加的な安定性を得るために該発電機の各側面でクロスビーム構造体３６によって相互連結される。発電機端部シールドの上部半体は、取外されかつ保守整備区域に移動され、また下部半体は、降ろされかつ所定の位置においてステータにボルト止めされる。
【００１３】
保守整備要員アクセスプラットホーム３８は次に、図３及び図４に具体的に示すように、蒸気タービン上に据付けられる。プラットホームは、作業者が持ち上げられた発電機１２のフィールド（ロータ）４０にアクセスするのを可能にし、発電機を図３及び図４に示すように保守整備プラットホーム上で長手方向に平行移動させることによって標準的フィールド取外し手順を使用して該発電機から取外すことができ、完全に取外したロータを図４に示している。理解されるように、フィールドの再配置は、本明細書で上に詳述したステップを逆にすることによって行われる。
【００１４】
現時点で最も実用的かつ好ましい実施形態であると考えられるものに関して本発明を説明してきたが、本発明は、開示した実施形態に限定されるものではなく、逆に特許請求の範囲の技術思想及び技術的範囲内に含まれる様々な改良及び均等な構成を保護しようとするものであることを理解されたい。
【符号の説明】
【００１５】
１２  発電機
１４  蒸気タービン
１６  ステータ脚部
１８  台座又は基盤プラットホーム
２０  ガスタービン
２２  仮設支持コラム
２４  仮設油圧ガントリリフトシステム
２６  油圧リフト
２８  リフトビーム
３０  ケーブル配置
３２  リフトピン
３４  発電機台座孔
３６  クロスビーム構造体
３８  保守整備要員アクセスプラットホーム
４０  フィールド（ロータ）
【図１】
2009250234.tif 000003
【図２】
2009250234.tif 000004
【図３】
2009250234.tif 000005
【図４】
2009250234.tif 000006